(57)【要約】【課題】報酬の支払い対象を広げることで、ネットワークにおける経済活動を活発化させることができる商品等販売サーバ装置、販売促進システム、アプリケーションプログラム、および販売促進方法を提供する。【解決手段】商品等販売サーバ装置は、個人が出品者となって販売される商品またはサービスを掲載する、掲載画面を提供するサービスを行うサービス提供者に対応付けられた提供元識別情報と、端末装置において表示された掲載画面を介して利用者により選択された商品またはサービスを識別する商品等識別情報とを受信する受信部と、端末装置において表示された掲載画面を介して商品またはサービスが購入された場合に、少なくとも受信部により受信された提供元識別情報に基づいて、サービス提供者に対し、報酬を支払うことを決定する制御部と、を備える。【選択図】図２
2017142623.tif 000002
【特許請求の範囲】
【請求項１】
個人が出品者となって販売される商品またはサービスを掲載する、掲載画面を提供するサービスを行うサービス提供者に対応付けられた提供元識別情報と、端末装置において表示された前記掲載画面を介して利用者により選択された前記商品またはサービスを識別する商品等識別情報とを受信する受信部と、
前記端末装置において表示された前記掲載画面を介して前記商品またはサービスが購入された場合に、少なくとも前記受信部により受信された前記提供元識別情報に基づいて、前記サービス提供者に対し、報酬を支払うことを決定する制御部と、
を備える商品等販売サーバ装置。
【請求項２】
前記出品者の識別情報である出品者識別情報を、前記商品等識別情報に対応付けて記憶する記憶部を更に備え、
前記受信部は、前記出品者によって販売される商品またはサービスの中から、前記掲載画面に掲載させる商品またはサービスを選択した掲載者の識別情報である掲載者識別情報を更に受信し、
前記制御部は、前記端末装置において表示された前記掲載画面を介して前記商品またはサービスが購入された場合に、前記記憶部から前記受信部により受信された商品等識別情報に対応する前記出品者識別情報を取得し、前記取得した出品者識別情報と、前記受信部により受信された前記掲載者識別情報とが異なる場合、さらに、前記掲載者識別情報に対応する掲載者に報酬を支払うことを決定する、
請求項１に記載の商品等販売サーバ装置。
【請求項３】
前記制御部は、前記端末装置において前記掲載画面を介して前記商品またはサービスが購入された場合に、前記購入された前記商品またはサービスに対応する前記商品等識別情報とともに、前記購入された前記商品またはサービスに対応する前記提供元識別情報を前記出品者の利用する端末装置に送信する、
請求項１または２に記載の商品等販売サーバ装置。
【請求項４】
前記掲載画面は、第１のサービス提供者が行う第１のサービスにより提供される第１の掲載画面と、第２のサービス提供者が行う第２のサービスにより提供される第２の掲載画面とがあり、
前記制御部は、前記第１の掲載画面を介して購入された前記商品またはサービスに関する情報と、前記第２の掲載画面を介して購入された前記商品またはサービスに関する情報とを、前記第１または第２のサービス提供者の利用する端末装置に送信する、
請求項１から３のうちいずれか１項に記載の商品等販売サーバ装置。
【請求項５】
前記掲載画面に掲載される商品またはサービスは、前記端末装置において実行され、商品またはサービスの販売を仲介する第１のアプリケーションプログラムを介して販売される商品またはサービスであり、
前記掲載画面は、前記端末装置において第２のアプリケーションプログラムが実行されることで、前記利用者に提供され、
前記受信部は、前記提供元識別情報である前記第２のアプリケーションプログラムを識別するアプリ識別情報、および前記商品等識別情報を含み、前記第２のアプリケーションプログラムから前記第１のアプリケーションプログラムに切り替わる場合に、前記第２のアプリケーションプログラムから前記第１のアプリケーションプログラムに受け渡されるトラッキングコードを前記端末装置から受信し、
前記制御部は、前記端末装置において表示された前記掲載画面を介して前記商品またはサービスが購入された場合に、前記受信部により受信された前記トラッキングコードに基づいて、前記アプリ識別情報から認識される前記サービス提供者に対し、報酬を支払うことを決定する、
請求項１から４のうちいずれか１項に記載の商品等販売サーバ装置。
【請求項６】
前記掲載画面に掲載される商品またはサービスは、前記サービス提供者により提供され、商品またはサービスの販売を仲介するウェブサイトを介して販売される商品またはサービスであり、
前記掲載画面は、前記端末装置においてアプリケーションプログラムが実行されることで、前記利用者に提供され、
前記受信部は、前記アプリケーションプログラムから前記ウェブサイトが呼び出される場合に、前記ウェブサイトのアドレス情報に付加された前記提供元識別情報および前記商品等識別情報を前記端末装置から受信し、
前記制御部は、前記端末装置において表示された前記掲載画面を介して前記商品またはサービスが購入された場合に、前記受信部により受信された前記提供元識別情報および前記商品等識別情報に基づいて、前記ウェブサイトを前記端末装置に提供した前記サービス提供者に対し、報酬を支払うことを決定する、
請求項１から４のうちいずれか１項に記載の商品等販売サーバ装置。
【請求項７】
前記掲載画面に掲載される商品またはサービスは、前記サービス提供者により提供され、商品またはサービスの販売を仲介する第１のウェブサイトを介して販売される商品またはサービスであり、
前記掲載画面は、前記端末装置において前記サービス提供者の提供する第２のウェブサイトを呼び出すことにより、前記利用者に提供され、
前記受信部は、前記第２のウェブサイトから前記第１のウェブサイトが呼び出される場合に、前記第１のウェブサイトのアドレス情報に付加された前記提供元識別情報および前記商品等識別情報を前記端末装置から受信し、
前記制御部は、前記端末装置において表示された前記掲載画面を介して前記商品またはサービスが購入された場合に、前記受信部により受信された前記提供元識別情報および前記商品等識別情報に基づいて、前記第１のウェブサイトを前記端末装置に提供した前記サービス提供者に対し、報酬を支払うことを決定する、
請求項１から４のうちいずれか１項に記載の商品等販売サーバ装置。
【請求項８】
請求項５に記載の商品等販売サーバ装置と、
前記第２のアプリケーションプログラムが実行される端末装置に対して利用者により所定の操作がなされた場合に、前記端末装置により実行されるアプリケーションプログラムを、前記第２のアプリケーションプログラムから前記第１のアプリケーションプログラムに切り替えさせ、前記トラッキングコードを、前記第２のアプリケーションプログラムから前記第１のアプリケーションプログラムに受け渡させる販売促進サーバ側制御部を有する販売促進サーバ装置と、
を備える販売促進システム。
【請求項９】
端末装置に、
個人が出品者となって販売される商品またはサービスを掲載する掲載画面を表示する処理と、
前記掲載画面を介して利用者により前記商品またはサービスのうちのいずれかが選択された場合に、前記掲載画面を介して利用者により選択された前記商品またはサービスを識別する商品等識別情報と、前記掲載画面を提供するサービスを行うサービス提供者に対応付けられた提供元識別情報とを、前記商品またはサービスの販売を管理する装置に送信する情報として、前記商品またはサービスが選択されることにより起動するソフトウェアに対して通知する処理と、
を実行させるアプリケーションプログラム。
【請求項１０】
前記端末装置に、
前記掲載画面に掲載される前記商品またはサービスの出品状態を、前記商品またはサービスの販売を管理する装置に問い合わせる処理と、
前記商品またはサービスの販売を管理する装置からの前記問い合わせに対する応答の結果によって、前記問い合わせた商品またはサービスを利用者に選択させるか否かを判定する処理と、
を実行させる請求項９に記載のアプリケーションプログラム。
【請求項１１】
前記端末装置に、
前記商品またはサービスの販売を仲介する第１のアプリケーションプログラムを介して販売される商品またはサービスのうち、所定の条件を満たす商品またはサービスを掲載する前記掲載画面を表示する処理と、
前記掲載画面を介して利用者により前記商品またはサービスのうちのいずれかが選択された場合に、前記第１のアプリケーションプログラムを起動して、実行するプログラムを、自身から前記第１のアプリケーションプログラムに切り替えると共に、自身の識別情報である前記提供元識別情報と、前記選択された商品またはサービスを識別する前記商品等識別情報とを含むトラッキングコードを、前記第１のアプリケーションプログラムに受け渡すことで、前記第１のアプリケーションプログラムに対して通知する処理と、
を実行させる請求項９または１０に記載のアプリケーションプログラム。
【請求項１２】
コンピュータが、
個人が出品者となって販売される商品またはサービスを掲載する、掲載画面を提供するサービスを行うサービス提供者に対応付けられた提供元識別情報と、端末装置において表示された前記掲載画面を介して利用者により選択された前記商品またはサービスを識別する商品等識別情報とを受信し、
前記端末装置において表示された前記掲載画面を介して前記商品またはサービスが購入された場合に、少なくとも前記受信した前記提供元識別情報に基づいて、前記サービス提供者に対し、報酬を支払うことを決定する、
販売促進方法。
【請求項１３】
第１のコンピュータが、
端末装置に個人が出品者となって販売される商品またはサービスを掲載する掲載画面を表示させ、
第２のコンピュータが、
前記掲載画面を表示する前記端末装置に対して利用者により所定の操作がなされた場合に、前記掲載画面を提供するサービスを行うサービス提供者に対応付けられた提供元識別情報と、前記端末装置において表示された前記掲載画面を介して利用者により選択された前記商品またはサービスを識別する商品等識別情報とを受信し、
少なくとも前記受信した前記提供元識別情報に基づいて、前記サービス提供者に対し、報酬を支払うことを決定する、
販売促進方法。
【発明の詳細な説明】
【技術分野】
【０００１】
本発明は、商品等販売サーバ装置、販売促進システム、アプリケーションプログラム、および販売促進方法に関する。
【背景技術】
【０００２】
従来、Ｗｅｂページ等の媒体を介して、利用者に商品やサービスの広告を行う技術が知られている。従来の技術では、商品が購入されたり、サービスが申し込まれたりした場合に、Ｗｅｂページ等の広告媒体を提供した者に報酬が支払われる。
【先行技術文献】
【特許文献】
【０００３】
【特許文献１】特許第４２２４１１６号公報
【発明の概要】
【発明が解決しようとする課題】
【０００４】
しかしながら、従来の技術では、報酬の支払い対象が限定的であった。
【０００５】
本発明は、上記の課題に鑑みてなされたものであって、報酬の支払い対象を広げることで、ネットワークにおける経済活動を活発化させることができる商品等販売サーバ装置、販売促進システム、アプリケーションプログラム、および販売促進方法を提供することを目的としている。
【課題を解決するための手段】
【０００６】
本発明の一態様は、個人が出品者となって販売される商品またはサービスを掲載する、掲載画面を提供するサービスを行うサービス提供者に対応付けられた提供元識別情報と、端末装置において表示された前記掲載画面を介して利用者により選択された前記商品またはサービスを識別する商品等識別情報とを受信する受信部と、前記端末装置において表示された前記掲載画面を介して前記商品またはサービスが購入された場合に、少なくとも前記受信部により受信された前記提供元識別情報に基づいて、前記サービス提供者に対し、報酬を支払うことを決定する制御部と、を備える商品等販売サーバ装置である。
【発明の効果】
【０００７】
本発明の一態様によれば、報酬の支払い対象を広げることで、ネットワークにおける経済活動を活発化させることができる。
【図面の簡単な説明】
【０００８】
【図１】第１実施形態における販売促進システム１の一例を示す図である。
【図２】第１実施形態におけるオークションアプリ管理サーバ１００の構成の一例を示す図である。
【図３】入札履歴情報１１２の一例を示す図である。
【図４】第１実施形態における端末装置３００の構成の一例を示す図である。
【図５】第１実施形態におけるサードパーティアプリ管理サーバ２００の構成の一例を示す図である。
【図６】第１実施形態における端末装置３００の構成の一例を示す図である。
【図７】第１実施形態における販売促進システム１において、掲載させる商品等をユーザに選択させる処理の一例を示すシーケンス図である。
【図８】第１実施形態における販売促進システム１において、サードパーティアプリを介してオークションの商品等が購入される場面において行われる処理の一例を示すシーケンス図である。
【図９】第１実施形態におけるトラッキングコード１１３の一例を示す図である。
【図１０】アプリ間におけるトラッキングコード１１３の受け渡しの様子を模式的に示す図である。
【図１１】上述した図７および８に示す処理の流れの一部を模式的に示す図である。
【図１２】第１実施形態における端末装置３００の処理の流れの一例を示すフローチャートである。
【図１３】上述した図１１において、掲載者が出品者と異なる場合の例を模式的に示す図である。
【図１４】第２実施形態におけるトラッキングコードの一例を示す図である。
【図１５】サードパーティアプリごとに記憶された落札商品等の情報を端末装置３００に表示させた画面の一例を示す図である。
【図１６】実施形態のオークションアプリ管理サーバ１００、サードパーティアプリ管理サーバ２００および端末装置３００のハードウェア構成の一例を示す図である。
【発明を実施するための形態】
【０００９】
以下、本発明を適用した商品等販売サーバ装置、販売促進システム、アプリケーションプログラム、および販売促進方法を、図面を参照して説明する。
【００１０】
以下に示す各実施形態の商品等販売サーバ装置および販売促進サーバ装置が構成する販売促進システムにおいて、商品等販売サーバ装置は、個人が出品者となって販売される商品またはサービス（以下、「商品等」と称する）を掲載する、掲載画面を提供するサービスを行うサービス提供者に対応付けられた提供元識別情報と、端末装置において表示された掲載画面を介して利用者により選択された商品等を識別する商品等識別情報とを受信する。例えば、商品等販売サーバ装置は、これらの情報を、端末装置から直接的または間接的に受信してもよいし、上記の販売促進サーバ装置から受信してもよい。間接的とは、上記の販売促進サーバ装置、或いはその他の装置を介して受信することをいう。商品等掲載する掲載画面を提供するサービスは、例えば、端末装置においてアプリケーションプログラムが実行されることで利用者に提供されてもよいし、ウェブブラウザによって表示されたウェブサイトを介して利用者に提供されてもよい。
【００１１】
そして、商品等販売サーバ装置は、端末装置において表示された掲載画面を介して商品等が購入された場合に、少なくとも受信した提供元識別情報に基づいて、サービス提供者に対し、報酬を支払うことを決定する。これによって、報酬の支払い対象を広げ、ネットワークにおける経済活動を活発化させることができる。
【００１２】
＜第１実施形態＞
以下、第１実施形態について説明する。図１は、第１実施形態における販売促進システム１の一例を示す図である。第１実施形態における販売促進システム１は、例えば、オークションアプリ管理サーバ１００と、サードパーティアプリ管理サーバ２００と、複数の端末装置３００−１から３００−ｎ（ｎは２以上の自然数）とを含む。オークションアプリ管理サーバ１００は、「商品等販売サーバ装置」の一例であり、サードパーティアプリ管理サーバ２００は、「販売促進サーバ装置」の一例である。
【００１３】
販売促進システム１では、オークションアプリ管理サーバ１００と、サードパーティアプリ管理サーバ２００と、複数の端末装置３００−１から３００−ｎとがネットワークＮＷを介して種々の情報を送受信する。ネットワークＮＷは、例えば、無線基地局、Ｗｉ−Ｆｉアクセスポイント、通信回線、プロバイダ、インターネットなどを含む。なお、以下の説明において、端末装置を他の端末装置と区別しない場合には「端末装置３００」と記載する。
【００１４】
オークションアプリ管理サーバ１００は、例えば、インターネットを介してオークションを運営する事業者により運営される。オークションアプリ管理サーバ１００は、端末装置３００と通信し、端末装置３００を操作する複数の利用者にオークションの場を提供する。この際に、端末装置３００では、インターネットを介したオークションを提供するためのアプリケーションプログラム（以下、オークションアプリと称する）が実行される。オークションアプリは、「第１のアプリケーションプログラム」の一例である。なお、このオークションアプリは、商品等を売買可能なフリーマーケットの場を、端末装置３００を操作する利用者に提供するためのアプリケーションプログラムであってもよい。
【００１５】
サードパーティアプリ管理サーバ２００は、例えば、上述したオークションを運営する事業者や、端末装置３００を操作する利用者とは異なる第３の事業者（個人の利用者であってもよい）により運営される。この第３の事業者は、例えば、ＵＡ（User agent）を広告媒体として用いて、オークションアプリ管理サーバ１００により提供されるオークションの場で取引される商品等を紹介する。ＵＡは、例えば、アプリケーションプログラムやウェブサイトを提供するウェブブラウザである。サードパーティアプリ管理サーバ２００は、端末装置３００と通信し、端末装置３００を操作する利用者に、オークションアプリにより扱われる商品等を紹介する。この際に、端末装置３００では、オークションアプリにより扱われる商品等を紹介するアプリケーションプログラム（以下、サードパーティアプリと称する）が実行される。サードパーティアプリは、「第２のアプリケーションプログラム」の一例である。
【００１６】
端末装置３００は、ユーザが操作（利用）可能な端末である。端末装置３００は、例えば、スマートフォンなどの携帯電話、タブレット端末、ＰＤＡ（Personal Digital Assistant）、パーソナルコンピュータである。端末装置３００には、例えば、オークションアプリ管理サーバ１００、或いは他のサーバから、上述したオークションアプリがダウンロードされる。また、同様に、端末装置３００には、例えば、サードパーティアプリ管理サーバ２００、或いは他のサーバから、上述したサードパーティアプリがダウンロードされる。なお、オークションアプリとサードパーティアプリのうち一方または双方は、予め端末装置３００にインストールされていてもよい。
【００１７】
以下、上述したオークションアプリ管理サーバ１００、サードパーティアプリ管理サーバ２００、および端末装置３００のそれぞれの構成について説明する。図２は、第１実施形態におけるオークションアプリ管理サーバ１００の構成の一例を示す図である。
【００１８】
第１実施形態におけるオークションアプリ管理サーバ１００は、例えば、通信部１０２と、制御部１０４と、記憶部１１０とを含む。
【００１９】
通信部１０２は、例えば、ＮＩＣ（Network Interface Card）等の通信インターフェースを含む。通信部１０２は、ネットワークＮＷを介してサードパーティアプリ管理サーバ２００および端末装置３００と通信する。通信部１０２は、「受信部」の一例である。
【００２０】
制御部１０４は、例えば、ＣＰＵ（Central Processing Unit）などのプロセッサが記憶部１１０に格納されたプログラムを実行することにより実現される。また、制御部１０４は、ＬＳＩ（Large Scale Integration）、ＡＳＩＣ（Application Specific Integrated Circuit）、またはＦＰＧＡ（Field-Programmable Gate Array）などのハードウェアにより実現されてもよい。制御部１０４は、以下に説明する種々の処理を実行する。制御部１０４は、「第２の制御部」の一例である。
【００２１】
また、制御部１０４は、サードパーティアプリを利用してオークションの商品等が購入（落札）された場合、このサードパーティアプリの提供元、すなわち、サードパーティアプリ管理サーバ２００を運営する事業者に報酬を支払うことを決定する。
【００２２】
「サードパーティアプリを利用して」とは、例えば、サードパーティアプリにより提供される表示画面からオークションアプリの表示画面に遷移し、その後の一連の流れとして、或いは当該オークションアプリの表示画面がブックマークされる等した後、商品等が購入されたことを意味する。
【００２３】
記憶部１１０は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）などにより実現される。記憶部１１０には、ファームウェアやアプリケーションプログラムなどの各種プログラム、通信部１０２により受信された情報などが記憶される。
【００２４】
記憶部１１０は、例えば、商品等情報１１１と、入札履歴情報１１２と、トラッキングコード１１３と、サードパーティアプリ情報１１４とを記憶する。
【００２５】
商品等情報１１１は、ユーザによりオークションとして出品された商品等に関する情報である。例えば、商品等情報１１１には、出品された商品等の画像データや、希望落札価格、ユーザからのコメントを示すテキストデータ、オークションを開始する日時から終了する日時までの入札期間等が含まれる。例えば、ユーザが端末装置３００においてオークションアプリを起動させ、商品等を出品する際に、商品等情報１１１が端末装置３００に入力される。端末装置３００は、入力された商品等情報１１１をオークションアプリ管理サーバ１００に送信する。オークションアプリ管理サーバ１００の制御部１０４は、端末装置３００により送信され、通信部１０２により受信された商品等情報１１１を記憶部１１０に記憶させる。
【００２６】
また、商品等情報１１１は、商品等を出品したユーザを識別するユーザＩＤ（ユーザ識別情報）に対応付けられて記憶部１１０に記憶される。ユーザＩＤは、予めオークションアプリ管理サーバ１００により発行されている。
【００２７】
また、商品等情報１１１により示される商品等には、オークションアプリ管理サーバ１００により、商品等を識別する商品等ＩＤが発行される。また、出品される商品等には、１回の出品ごとに出品ＩＤやオークションＩＤといった識別情報が、オークションアプリ管理サーバ１００により発行されてもよい。例えば、同一の商品等が複数出品される場合、商品等ＩＤは、出品された商品等ごとに発行される場合もあってよく、同一の商品等であれば同じ商品等ＩＤが発行される場合もあってよい。後者の場合、商品等ＩＤは、商品等が出品されるのに伴って、メールやユーザＩＤでログインしたオークションサイトの画面上で、１回の出品ごとに発行される出品ＩＤないしオークションＩＤと共に、オークションアプリ管理サーバ１００から出品者に通知される。また、オークションアプリ管理サーバ１００は、発行した商品等ＩＤ、および出品ＩＤまたはオークションＩＤを記憶しておく。
【００２８】
商品等ＩＤが、出品された商品等ごとにユニークＩＤとして発行される場合、本実施形態の処理で必要とされる商品等識別情報には、商品等ＩＤが含まれていれば十分である。一方、商品等ＩＤが、同一の商品等であれば同じ商品等ＩＤが発行される場合、商品等識別情報には、商品等ＩＤに加えて、出品ＩＤまたはオークションＩＤが含まれている必要がある。以下、これを前提とし、出品された商品等を、同じ商品であっても出品者や出品タイミングが異なれば別のものとして識別可能な識別情報を、「商品等識別情報」と表記して説明する。
【００２９】
入札履歴情報１１２は、商品等に対する入札の状況を記録した情報である。図３は、入札履歴情報１１２の一例を示す図である。図示のように、入札履歴情報１１２は、例えば、ユーザＩＤごとに、商品等識別情報と、この商品等のカテゴリと、現時点での入札件数と、現時点での入札金額と、入札期間とが互いに対応付けられている情報である。
【００３０】
トラッキングコード１１３は、端末装置３００において、実行するアプリケーションプログラムがサードパーティアプリからオークションアプリに切り替わる際に、これらのアプリ間で受け渡される情報である。このトラッキングコード１１３は、アプリの切り替わりに伴って、サードパーティアプリ管理サーバ２００を運営する事業者への報酬が決定される際に、一時的に記憶部１１０に記憶される。このトラッキングコード１１３の詳細については後述する。
【００３１】
サードパーティアプリ情報１１４は、サードパーティアプリを識別するアプリＩＤ（アプリ識別情報）と、このサードパーティアプリを開発または提供する者（以下、事業者と称するが、個人であってもよい）を識別するデベロッパーＩＤとが対応付けられている情報である。以下、デベロッパーＩＤが示す事業者を、サードパーティアプリ管理サーバ２００を運営する第３の事業者と同一であるものとして説明する。アプリＩＤは、提供元識別情報の一例である。
【００３２】
サードパーティアプリ情報１１４は、サードパーティアプリ管理サーバ２００からオークションアプリ管理サーバ１００に送信されることで、記憶部１１０に記憶されてよい。また、サードパーティアプリ管理サーバ２００を運営する第３の事業者からオークションアプリ管理サーバ１００を運営する事業者への申請によって、オークションアプリ管理サーバ１００を運営する事業者のオペレータが、図示しないユーザインターフェースを用いて、サードパーティアプリ情報１１４を、オークションアプリ管理サーバ１００の記憶部１１０に記憶させてもよい。
【００３３】
図５は、第１実施形態におけるサードパーティアプリ管理サーバ２００の構成の一例を示す図である。サードパーティアプリ管理サーバ２００は、例えば、通信部２０２と、制御部２０４と、記憶部２１０とを含む。
【００３４】
通信部２０２は、例えば、ＮＩＣ等の通信インターフェースを含む。通信部２０２は、ネットワークＮＷを介してオークションアプリ管理サーバ１００および端末装置３００と通信する。
【００３５】
制御部２０４は、例えば、ＣＰＵなどのプロセッサが記憶部２１０に格納されたプログラムを実行することにより実現される。また、制御部２０４は、ＬＳＩ、ＡＳＩＣ、またはＦＰＧＡなどのハードウェアにより実現されてもよい。制御部２０４は、以下に説明する種々の処理を実行する。制御部２０４は、「販売促進サーバ側制御部」の一例である。
【００３６】
記憶部２１０は、例えば、ＨＤＤ、フラッシュメモリ、ＥＥＰＲＯＭ、ＲＯＭ、またはＲＡＭなどにより実現される。記憶部２１０には、ファームウェアやアプリケーションプログラムなどの各種プログラム、通信部２０２により受信された情報などが記憶される。例えば、記憶部２１０は、掲載商品等情報２１１を記憶する。
【００３７】
掲載商品等情報２１１は、オークションの商品等のうち、所定の条件を満たす商品等に関する情報である。所定の条件とは、例えば、ファッション等の特定のカテゴリに属すること、入札期間が所定期間以内であること、入札価格が所定額以下（或いは所定額以上）であること、入札件数が所定値以上（或いは所定値以下）であること、といった条件である。所定の条件は、利用者が、サードパーティアプリを実行する端末装置３００を用いて任意に変更してよい。
【００３８】
また、掲載商品等情報２１１には、当該商品等を画面に掲載する際のレイアウトに関する情報が含まれてよい。例えば、サードパーティアプリを実行する端末装置３００により商品等の画像が表示されたのに対し、ユーザが画像の大きさや、表示位置、配色等のレイアウトを変更した場合、サードパーティアプリ管理サーバ２００は、これらの変更された情報を包含した掲載商品等情報２１１を端末装置３００から受信し、記憶部２１０に記憶させる。すなわち、ユーザが、サードパーティアプリを利用して掲載する商品等の表示レイアウトに関するＵＩ（User Interface）を変更した場合、この変更履歴は掲載商品等情報２１１として記憶部２１０に記憶される。
【００３９】
図６は、第１実施形態における端末装置３００の構成の一例を示す図である。端末装置３００は、例えば、通信部３０２と、表示部３０４と、操作部３０６と、制御部３０８と、記憶部３１０とを含む。
【００４０】
通信部３０２は、ネットワークＮＷに接続するためのハードウェアを含む。例えば、通信部３０２は、アンテナおよび送受信装置、またはＮＩＣ等を含んでよい。通信部３０２は、ネットワークＮＷを介してオークションアプリ管理サーバ１００およびサードパーティアプリ管理サーバ２００と通信する。
【００４１】
表示部３０４は、例えば、ＬＣＤ（Liquid Crystal Display）や有機ＥＬ（Electroluminescence）ディスプレイなどの表示装置を含む。表示部３０４は、制御部３０８により出力される情報に基づいて画像を表示する。
【００４２】
操作部３０６は、例えば、ボタン、キーボードやマウス等の操作デバイスを含む。操作部３０６は、ユーザの操作を受け付けて、受け付けた操作に応じた情報を制御部３０８に出力する。なお、操作部３０６は、表示部３０４と一体として構成されるタッチパネルであってもよい。
【００４３】
制御部３０８は、例えば、ＣＰＵなどのプロセッサが記憶部３１０に格納されたプログラムを実行することにより実現される。また、制御部３０８は、ＬＳＩ、ＡＳＩＣ、またはＦＰＧＡなどのハードウェアにより実現されてもよい。
【００４４】
制御部３０８は、例えば、記憶部３１０に記憶されたオークションアプリまたはサードパーティアプリを実行する。また、制御部３０８は、ユーザの操作に応じて、実行するアプリケーションを、サードパーティアプリからオークションアプリに、またはオークションアプリからサードパーティアプリに切り替える。
【００４５】
制御部３０８は、サードパーティアプリを実行する場合、表示部３０４に表示する商品等の画像データやテキストデータ等の情報を記憶部３１０から読み出して、これらの情報に基づいて表示部３０４に画像を表示させる。また、制御部３０８は、ユーザの操作によって所定の条件が設定されると、通信部３０２に、この条件を満たす商品等の情報をサードパーティアプリ管理サーバ２００に送信させる。
【００４６】
また、制御部３０８は、オークションアプリを実行する場合、入札履歴の更新や決済等の処理を行う。
【００４７】
記憶部３１０は、例えば、ＨＤＤ、フラッシュメモリ、ＥＥＰＲＯＭ、ＲＯＭ、またはＲＡＭなどにより実現される。記憶部３１０には、ファームウェアやアプリケーションプログラムなどの各種プログラム、通信部３０２により受信された情報などが記憶される。例えば、記憶部３１０は、オークションアプリを記憶し、このオークションアプリを実行する際の処理結果等を記憶する第１記憶領域３１１と、サードパーティアプリを記憶し、このサードパーティアプリを実行する際の処理結果等を記憶する第２記憶領域３１２とを含む。
【００４８】
これら第１記憶領域３１１および第２記憶領域３１２は、制御部３０８による特段の制御が無い限り、互いに独立した記憶領域として確保される。これらの記憶領域は、コンピュータセキュリティの分野における所謂サンドボックスである。
【００４９】
例えば、端末装置３００がオークションアプリを実行している際には、第１記憶領域３１１のみに情報が記録されると共に、第１記憶領域３１１からのみ情報が読み出される。また、端末装置３００がサードパーティアプリを実行している際には、第２記憶領域３１２のみに情報が記録されると共に、第２記憶領域３１２からのみ情報が読み出される。
【００５０】
以下、第１実施形態における販売促進システム１の処理の流れについて説明する。図７は、第１実施形態における販売促進システム１において、掲載させる商品等をユーザに選択させる処理の一例を示すシーケンス図である。
【００５１】
まず、端末装置３００の制御部３０８は、ユーザが操作部３０６を操作してサードパーティアプリを起動すると（Ｓ１００）、通信部３０２に、アプリが起動したことを示す情報（以下、起動情報）を、サードパーティアプリ管理サーバ２００に送信させる（Ｓ１０２）。
【００５２】
次に、サードパーティアプリ管理サーバ２００の制御部２０４は、通信部２０２により起動情報が受信されると、オークションの商品等の中から掲載するのに望ましい商品等をユーザに選択してもらうために、通信部２０２に、商品等情報１１１を送信させるためのリクエストを、オークションアプリ管理サーバ１００に送信させる（Ｓ１０４）。
【００５３】
なお、サードパーティアプリ管理サーバ２００の制御部２０４は、通信部２０２により起動情報が受信される前に、予め、商品等情報１１１を送信させるためのリクエストをオークションアプリ管理サーバ１００に送信させてもよい。
【００５４】
オークションアプリ管理サーバ１００の制御部１０４は、商品等情報１１１を送信させるためのリクエストを受けて、記憶部１１０に記憶された商品等情報１１１を読み出して、通信部１０２に、商品等情報１１１をサードパーティアプリ管理サーバ２００に送信させる（Ｓ１０６）。
【００５５】
次に、サードパーティアプリ管理サーバ２００の制御部２０４は、通信部２０２に、商品等情報１１１を中継させて、サードパーティアプリが起動した端末装置３００に送信させる（Ｓ１０８）。
【００５６】
サードパーティアプリを実行している制御部３０８は、通信部３０２により商品等情報１１１が受信されると、表示部３０４に、商品等情報１１１に基づいてオークションの商品等を表示させると共に、ユーザに所定の条件を設定させる（Ｓ１１０）。なお、端末装置３００は、例えば、商品等情報１１１に基づいてオークションの商品等をタッチパネルに表示させ、この商品等の画像上でユーザが商品等を選択（例えばタッチ操作）した場合、選択された商品等を、所定の条件を満たす商品等として扱ってよい。
【００５７】
制御部３０８は、ユーザにより所定の条件が設定された場合、通信部３０２に、所定の条件を満たす商品等に関する情報を、掲載商品等情報２１１としてサードパーティアプリ管理サーバ２００に送信させる（Ｓ１１２）。これを受けて、サードパーティアプリ管理サーバ２００の制御部２０４は、掲載商品等情報２１１を記憶部２１０に記憶する（Ｓ１１４）。次に、制御部２０４は、掲載商品等情報２１１に含まれる商品等の情報（例えば、商品等の画像が含まれるページ）に、所定のアドレス情報を付与する（Ｓ１１６）。
【００５８】
所定のアドレス情報とは、ウェブブラウザが提供するウェブページのうち、掲載商品等情報２１１に含まれる商品等と同一であり、且つ商品等情報１１１に含まれる商品等の情報が掲載されるページを指定する情報である。この場合、所定のアドレス情報は、例えば、ＨＴＭＬ（HyperText Markup Language）で記述され、このＨＴＭＬのリンクを操作する（例えばクリック操作やタップ操作を行う）ことで、ウェブページの要求が端末装置３００からオークションアプリ管理サーバ１００に送信される。
【００５９】
また、所定のアドレス情報として、例えば、サードパーティアプリのプログラムコードにおいて、予め所定のプログラムコードに連動して読み出される専用のプログラムコードを記述しておき、オークションアプリが起動されるようにしてもよい。専用のプログラムコードは、例えば、カスタムＵＲＬ（Uniform Resource Locator）スキームを用いて実装されてよい。このプログラムコードは、例えば、UIApplicationクラスのopenURLで、アプリケーションに定義されたＵＲＬスキームを呼び出すコードであり、アプリケーションが遷移する（切り替わる）前のアプリケーションのパラメータを保持した状態で、遷移先のアプリケーションを起動させる。本実施形態の場合、例えば、制御部３０８は、サードパーティアプリにおいて、ある商品等が選択された場合、オークションアプリを起動し、オークションアプリにおいて、選択された商品等の商品等ＩＤと同一の商品等ＩＤを示す商品等が掲載されたページや、選択された商品等の商品等ＩＤと同一の商品等ＩＤを示す商品等に関するページを表示する。
【００６０】
図８は、第１実施形態における販売促進システム１において、サードパーティアプリを介してオークションの商品等が購入される場面において行われる処理の一例を示すシーケンス図である。
【００６１】
まず、サードパーティアプリ管理サーバ２００の制御部２０４は、掲載商品等情報２１１に含まれる商品等が、出品キャンセルされたり、既に落札されたりしていないか確認するために、掲載商品等情報２１１に含まれる商品等の出品状態についてオークションアプリ管理サーバ１００に問い合わせる（Ｓ２００）。これを受けて、オークションアプリ管理サーバ１００は、問い合わせを受けた商品等の出品状態について応答する（Ｓ２０２）。「応答」とは、例えば、問い合わせを受けた商品等のそれぞれについて、出品中（オークション中）であるか否かを返信することである。
【００６２】
サードパーティアプリ管理サーバ２００の制御部２０４は、問い合わせた商品等のうち、出品キャンセル等によりオークションアプリ管理サーバ１００が扱っていない商品等が存在することが判明した場合、この商品等を掲載商品等情報２１１から除き掲載商品等情報２１１を更新する（Ｓ２０４）。例えば、制御部２０４は、オークションアプリ管理サーバ１００からの応答に基づいて、掲載商品等情報２１１に登録されているそれぞれの商品等について、出品中（オークション中）であるか否かを判定する。制御部２０４は、出品中（オークション中）でないと判定した商品等を掲載商品等情報２１１から削除する。これによって、制御部２０４は、後述する処理において、端末装置３００に、オークションアプリ管理サーバ１００が扱っている商品等のみを利用者に選択させることができる。なお、上述したＳ２００からＳ２０４の処理は、所定の周期で繰り返し行われてよい。
【００６３】
端末装置３００の制御部３０８は、ユーザが操作部３０６を操作してサードパーティアプリを起動すると（Ｓ２０６）、通信部３０２に、起動情報を、サードパーティアプリ管理サーバ２００に送信させる（Ｓ２０８）。これを受けて、サードパーティアプリ管理サーバ２００の制御部２０４は、掲載商品等情報２１１を記憶部２１０から読み出し、通信部２０２に、読み出した掲載商品等情報２１１を端末装置３００に送信させる（Ｓ２１０）。
【００６４】
次に、端末装置３００の制御部３０８は、表示部３０４に、掲載商品等情報２１１に含まれる商品等の画像を掲載した画面を表示させる（Ｓ２１２）。なお、制御部３０８は、商品等の名称や、アドレス情報（ＨＴＭＬリンク）等を示す文字を表示させてもよい。
【００６５】
次に、端末装置３００の制御部３０８は、ユーザが商品等を入札するために、操作部３０６を操作して商品等を選択した（例えば、商品等の画像をタッチ操作した）場合（Ｓ２１４）、この商品等の情報に対応付けられているアドレス情報に基づいて、オークションアプリを起動する（Ｓ２１６）。
【００６６】
この際、制御部３０８は、実行するアプリケーションをサードパーティアプリからオークションアプリに切り替える場合に、トラッキングコード１１３を切替先のアプリケーションであるオークションアプリに受け渡す。図９は、第１実施形態におけるトラッキングコード１１３の一例を示す図である。図示のように、トラッキングコード１１３は、サードパーティアプリにおいて掲載された商品等のうち、ユーザが選択した商品等の商品等識別情報（前述）と、当該サードパーティアプリのアプリＩＤと含む情報である。トラッキングコード１１３は、例えば、上述したカスタムＵＲＬスキーム内のパラメータに含まれてよい。
【００６７】
図１０は、アプリ間におけるトラッキングコード１１３の受け渡しの様子を模式的に示す図である。図示のように、トラッキングコード１１３を「受け渡す」とは、例えば、制御部３０８が、サードパーティアプリの実行時において、第２記憶領域３１２に記憶させておいたトラッキングコード１１３を、第２記憶領域３１２から読み出し、読み出したトラッキングコード１１３を、第１記憶領域３１１に書き込むことである。
【００６８】
また、「受け渡す」とは、制御部３０８が、サードパーティアプリの実行時に第２記憶領域３１２に記憶させておいたトラッキングコード１１３を、オークションアプリの実行時にも読み出せるように許可することであってもよい。
【００６９】
また、「受け渡す」とは、制御部３０８が、サードパーティアプリの実行時およびオークションアプリの実行時の双方において読み書き可能な共通の記憶領域に、予めサードパーティアプリの実行時にトラッキングコード１１３を書き込んでおき、オークションアプリの実行時に共通の記憶領域からトラッキングコード１１３を読み出すことであってもよい。
【００７０】
ここで、図８の説明に戻る。制御部３０８は、トラッキングコード１１３を受け渡すと共にオークションアプリを起動すると（Ｓ２１８）、通信部３０２に、オークションアプリに受け渡したトラッキングコード１１３を、オークションアプリ管理サーバ１００に送信させる（Ｓ２２０）。
【００７１】
これを受けて、オークションアプリ管理サーバ１００の制御部１０４は、トラッキングコード１１３を記憶部１１０に記憶させる（Ｓ２２２）。そして、制御部１０４は、通信部１０２に、トラッキングコード１１３に含まれる商品等識別情報に対応した商品等の入札用のウェブページを、ハイパーテキストのような所定のデータで、オークションアプリが起動した端末装置３００に送信させる（Ｓ２２４）。以下、所定のデータ形式で表された入札用のウェブページを、入札ページ情報と称して説明する。
【００７２】
これを受けて、制御部３０８は、表示部３０４に入札用のウェブページを表示させる（Ｓ２２６）。ユーザにより金額等の入札情報が入力されると、制御部３０８は、通信部３０２に、この入札情報をオークションアプリ管理サーバ１００に送信させる（Ｓ２２８）。
【００７３】
オークションアプリ管理サーバ１００の制御部１０４は、この入札情報に基づいて、記憶部１１０の入札履歴情報１１２を更新する（Ｓ２３０）。そして、制御部１０４は、商品等の落札が成立した場合に、サードパーティアプリ情報１１４を参照して、トラッキングコード１１３に含まれるアプリＩＤと対応するデベロッパーＩＤの事業者に報酬を支払うことを決定する（Ｓ２３２）。制御部１０４は、サードパーティアプリを提供する事業者に支払われる報酬を、例えば、商品等が落札される都度、支払うか否かを決定してもよいし、落札された商品等の金額の合計が閾値（例えば、１万円）を超えた場合に、支払うと決定してもよい。また、制御部１０４は、この報酬額を、落札された際の金額に応じて決定してよい。
【００７４】
図１１は、上述した図７および８に示す処理の流れの一部を模式的に示す図である。図１１では、主に利用者の視点から見た処理の流れについて説明する。図示のように、例えば、オークションアプリで商品等を落札してもらいたい出品者Ａは、予めオークションアプリ管理サーバ１００に登録しておいた商品等を、サードパーティアプリ上で掲載する（上述したＳ１１０の処理に相当）。より具体的には、出品者Ａは、予めオークションアプリ管理サーバ１００に商品等を出品しておき、出品した商品等に対して発行された商品等識別情報を取得しておく。そして、出品者Ａは、予め取得しておいた商品等識別情報をサードパーティアプリが実行された端末装置３００に入力する。これによって、端末装置３００は、商品等識別情報に対応した商品等の情報（商品等情報１１１）を、サードパーティアプリを介してオークションアプリ管理サーバ１００から取得し、画面に表示することができる。サードパーティアプリは、入力された商品等識別情報に対応した商品等を、掲載する商品等として扱う。出品者Ａは、商品等をサードパーティアプリに掲載する際に、掲載する商品等の見栄えが良くなるように、例えば、サードパーティアプリのＵＩをカスタマイズして、ファッションのコーディネートの模範例のようなものを示して商品等を掲載する。
【００７５】
そして、サードパーティアプリ管理サーバ２００は、出品者Ａにより掲載された商品等と、その商品等を表示する際のレイアウト等を掲載商品等情報２１１として保存する（上述したＳ１１４、Ｓ１１６の処理に相当）。
【００７６】
次に、商品等を落札したい購入者Ｂは、サードパーティアプリがダウンロードされた端末装置３００を用いて、商品等を検索する。この際、出品者Ａにより掲載された商品等やレイアウト等が変更されたＵＩの設定でサードパーティアプリが起動する。例えば、購入者Ｂは、このサードパーティアプリ上で、入札希望の商品等を選択した場合、購入者Ｂが操作する端末装置３００では、この商品等に対応付けられたアドレス情報によって、サードパーティアプリからオークションアプリに切り替わる（上述したＳ２１６の処理に相当）。
【００７７】
端末装置３００では、実行するアプリケーションが切り替わる際にトラッキングコードをオークションアプリ管理サーバ１００に送信し（上述したＳ２２０の処理に相当）、オークションアプリ管理サーバ１００から入札用のウェブページを送信してもらう（上述したＳ２２４の処理に相当）。そして、購入者Ｂは、端末装置３００上で表示された入札用のウェブページから、商品等の入札を行う（上述したＳ２２６の処理に相当）。端末装置３００は、入札を受けると、この入札に関する入札情報をオークションアプリ管理サーバ１００に送信する（上述したＳ２２８の処理に相当）。
【００７８】
これによって、例えば、購入者Ｂによる入札が成立し、商品等が落札されると、オークションアプリ管理サーバ１００は、落札された商品等が掲載されたサードパーティアプリの提供元の事業者に報酬を支払うことを決定する（上述したＳ２３２の処理に相当）。これによって、販売促進システム１は、報酬の支払い対象を広げることができる。これによって、例えば、オークションサイトを運営する事業者から見れば、自身が運用するオークションサービスへの流入元となるサードパーティアプリを開発する人の新規参入の敷居を下げることができ、この結果、ユーザに提供されるサードパーティアプリの数や質が向上し、サードパーティアプリを介してオークションアプリを利用するユーザの数を増やすことができる。また、サードパーティアプリを運営する事業者から見れば、報酬をもらうことにより、サードパーティアプリの開発コストを減らすことができる。また、出品者から見れば、サードパーティアプリを用いて自身が出品した商品等を他の利用者に紹介することができる。このように、販売促進システム１は、多方面に対して種々のメリットをもたらすことができるため、ネットワークにおける経済活動を活発化させることができる。
【００７９】
図１２は、第１実施形態における端末装置３００の処理の流れの一例を示すフローチャートである。本フローチャートの処理は、例えば、所定の周期で繰り返し行われてよい。
【００８０】
まず、端末装置３００の制御部３０８は、ユーザの操作によって、サードパーティアプリが起動されるまで待機し（Ｓ３００）、サードパーティアプリが起動されると、起動情報をサードパーティアプリ管理サーバ２００に送信する（Ｓ３０２）。
【００８１】
次に、制御部３０８は、通信部３０２により掲載商品等情報２１１が受信されると（Ｓ３０４）、表示部３０４に掲載商品等情報２１１に含まれる商品等を、出品者により設定されたレイアウトに基づいて表示させる（Ｓ３０６）。
【００８２】
次に、制御部３０８は、操作部３０６が商品等の閲覧を要求する操作を受け付けたか否かを判定する（Ｓ３０８）。操作部３０６が商品等の閲覧を要求する操作を受け付けない場合、制御部３０８は、操作部３０６がサードパーティアプリの終了操作を受け付けたか否かを判定する（Ｓ３１０）。操作部３０６がサードパーティアプリの終了操作を受け付けた場合、制御部３０８は、サードパーティアプリの実行を終了し、本フローチャートの処理を終了する。一方、操作部３０６がサードパーティアプリの終了操作を受け付けない場合、制御部３０８は、上述したＳ３０６の処理に戻る。
【００８３】
一方、操作部３０６が商品等の閲覧を要求する操作を受け付けた場合、制御部３０８は、オークションアプリにトラッキングコード１１３を受け渡して、オークションアプリを起動する（Ｓ３１２）。次に、制御部３０８は、通信部３０２に、オークションアプリに受け渡したトラッキングコード１１３を、オークションアプリ管理サーバ１００に送信させる（Ｓ３１４）。
【００８４】
次に、制御部３０８は、通信部３０２により入札ページ情報が受信されるまで待機し（Ｓ３１６）、入札ページ情報が受信されると、表示部３０４に入札ページ情報に基づく入札画面を表示させる（Ｓ３１８）。
【００８５】
次に、制御部３０８は、操作部３０６に入札金額等の入札情報が入力されると（Ｓ３２０：Ｙｅｓ）、通信部３０２に、この入札情報をオークションアプリ管理サーバ１００に送信させる（Ｓ３２２）。
【００８６】
一方、操作部３０６に入札金額等の入札情報が入力されず、画面を戻る等のキャンセル操作が受け付けられた場合（Ｓ３２４：Ｙｅｓ）、制御部３０８は、実行するアプリケーションを、オークションアプリからサードパーティアプリに切り替えて（Ｓ３２６）、上述したＳ３０６の処理に戻る。これによって、本フローチャートの処理が終了する。
【００８７】
なお、上述した処理では、商品等の入札以降の処理は、オークションアプリを介して行うものとして説明したがこれに限られない。例えば、入札までの一連の処理をサードパーティアプリが行い、それ以降の決済等の処理をオークションアプリが行うように実装してよい。
【００８８】
以上説明した第１実施形態の販売促進システム１によれば、端末装置３００において、商品等を掲載する掲載画面を提供するサービスの一つであるサードパーティアプリからオークションアプリに切り替わる場合に、サードパーティアプリからオークションアプリに受け渡されるトラッキングコードを、オークションアプリを実行する端末装置３００から受信し、サードパーティアプリにより掲載させられた商品等が購入された場合に、受信したトラッキングコードに基づいて、サードパーティアプリを端末装置３００に提供した事業者に報酬を支払うことを決定することで、報酬の支払い対象を広げることができ、ネットワークにおける経済活動を活発化させることができる。
【００８９】
＜第２実施形態＞
以下、第２実施形態について説明する。第２実施形態の販売促進システム１では、サードパーティアプリを用いて商品等を掲載する者（以下、掲載者と称する）が、当該商品等を出品した出品者と異なる場合がある点で上述した第１実施形態と相違する。従って、この相違点を中心に説明し、第１実施形態と共通する点については説明を省略する。なお、第２実施形態の説明において、第１実施形態と同じ部分については同一符号を付する。
【００９０】
図１３は、上述した図１１において、掲載者が出品者と異なる場合の例を模式的に示す図である。図示のように、例えば、掲載者Ｃが、他の出品者の商品等をサードパーティアプリ上で掲載する場合、サードパーティアプリを実行する端末装置３００は、掲載者ＣのユーザＩＤ（掲載者識別情報）と、他の出品者のユーザＩＤ（出品者識別情報）とを受け付ける。例えば、他の出品者のユーザＩＤは、オークションアプリが提供するウェブページのＵＲＬに含まれる。掲載者Ｃは、このＵＲＬに含まれるユーザＩＤを端末装置３００に入力して、他の出品者の商品等をサードパーティアプリ上で掲載する。
【００９１】
次に、購入者Ｂが、このサードパーティアプリ上で、入札希望の商品等を選択した場合、購入者Ｂが操作する端末装置３００では、この商品等に対応付けられたアドレス情報によって、サードパーティアプリからオークションアプリに切り替わる。
【００９２】
第２実施形態における端末装置３００では、実行するアプリケーションが切り替わる際に、掲載者ＣのユーザＩＤを含むトラッキングコードをオークションアプリ管理サーバ１００に送信し、オークションアプリ管理サーバ１００から入札用のウェブページを送信してもらう。
【００９３】
図１４は、第２実施形態におけるトラッキングコードの一例を示す図である。第２実施形態では、図１４に示すように、トラッキングコードは、サードパーティアプリのアプリＩＤと、商品等識別情報と、掲載者ＣのユーザＩＤとを含む。
【００９４】
オークションアプリ管理サーバ１００は、オークションアプリを実行する端末装置３００において購入者Ｂによる入札が成立し、商品等が落札されると、オークションアプリ管理サーバ１００は、落札された商品等が掲載されたサードパーティアプリのアプリＩＤに対応する事業者と、トラッキングコードに含まれるユーザＩＤが示す掲載者Ｃとに対して、報酬を支払うことを決定する。これによって、第２実施形態における販売促進システム１は、報酬の支払い対象をさらに広げることができ、ネットワークにおける経済活動をさらに活発化させることができる。
【００９５】
＜第３実施形態＞
以下、第３実施形態について説明する。第３実施形態のオークションアプリ管理サーバ１００では、サードパーティアプリを介して商品等が落札（購入）された場合に、サードパーティアプリごとに落札された商品等の情報を記憶し、この情報をユーザに開示する点で、上述した第１および第２実施形態と相違する。従って、この相違点を中心に説明し、第１および第２実施形態と共通する点については説明を省略する。
【００９６】
図１５は、サードパーティアプリごとに記憶された落札商品等の情報を端末装置３００に表示させた画面の一例を示す図である。例えば、制御部１０４は、商品等が落札された場合、この落札された商品等の商品等識別情報ごとに、落札時に用いられたサードパーティアプリを識別するアプリＩＤを付して記憶部１１０に記憶させる。このアプリＩＤは、例えば、図中のＩＣＯＮのように、サードパーティアプリの名称が記された記号として表示される。なお、制御部１０４は、複数の同一商品等が出品された場合、この複数の同一商品等のうち、落札された商品等の数に応じて、複数の識別情報を付してよい。そして、制御部１０４は、商品等識別情報にアプリＩＤを付した情報を端末装置３００に送信することで、端末装置３００に図１５に示すような画面を表示させる。これにより、端末装置３００を操作する利用者は、ＩＣＯＮの数や種類（名称）に応じて、サードパーティアプリごとの商品等の落札頻度や傾向を把握することができる。
【００９７】
この結果、利用者は、識別情報の数や種別に応じて、サードパーティアプリを統計的に評価することができ、より販売目的に沿ったサードパーティアプリを選択することができる。また、第３実施形態のオークションアプリ管理サーバ１００によれば、サードパーティアプリの利用者数に偏りを生じさせ、開発競争に拍車をかけることができる。
【００９８】
また、複数のサードパーティアプリの提供者が存在する場合、ある提供者が提供したサードパーティアプリにより落札された商品等の情報と共に、他者が提供したサードパーティアプリにより落札された商品等の情報も同時に公開されてよい。
【００９９】
例えば、オークションアプリ管理サーバ１００の制御部１０４は、所定の周期（例えば月単位）で、サードパーティアプリを介して落札された商品等の金額や落札回数などの売上情報を、サードパーティのアプリＩＤごとに集計する。そして、制御部１０４は、集計した売上情報をサードパーティアプリ管理サーバ２００に送信する。この際、制御部１０４は、サードパーティアプリ管理サーバ２００の管理者が他のサードパーティアプリ（第２のサードパーティアプリ）と自身のサードパーティアプリ（第１のサードパーティアプリ）とを比較できるように、送信対象であるサードパーティアプリ管理サーバ２００により管理される第１のサードパーティアプリに対応する売上情報に、他のサードパーティアプリ管理サーバ２００により管理される第２のサードパーティアプリに対応する売上情報を包含して、送信対象のサードパーティアプリ管理サーバ２００に送信する。
【０１００】
例えば、他のサードパーティアプリと自身のサードパーティアプリとの双方の売上情報が包含された情報は、種々のサードパーティアプリが売上順にランキング形式で表される。このような情報は、オークションアプリ管理サーバ１００からサードパーティアプリ管理サーバ２００へメール等によって通知される。これによって、第３実施形態における販売促進システム１は、サードパーティアプリの管理者によるアプリケーションの開発モチベーションを高めることができる。
【０１０１】
以上説明した第３実施形態における販売促進システム１によれば、上述した第１および第２実施形態と同様に、ネットワークにおける経済活動を活発化させることができる。
【０１０２】
＜その他＞
上述した第１から第３実施形態の説明では、主にオークションアプリおよびサードパーティアプリの双方が、アプリケーションプログラムであるものとして説明したが、これに限られない。例えば、オークションアプリおよびサードパーティアプリの一方または双方は、ウェブブラウザの機能によって置き換えられてもよい。例えば、サードパーティアプリに相当するオークションの商品等を掲載するウェブページ（サードパーティサイトのウェブページ）からオークションアプリに相当するオークションの場を提供するウェブページ（オークションサイトのウェブページ）に切り替わる場合、端末装置３００は、オークションサイトのウェブページのＵＲＬ（アドレス情報）に、リンク元ページの情報（例えばドメイン情報）を付加して、ＨＴＴＰリクエストをオークションアプリ管理サーバ１００に送信する。これによって、オークションアプリ管理サーバ１００は、ＨＴＴＰリクエストとして指定されたＵＲＬに付加されたリンク元ページの情報に基づいて、サードパーティサイトのウェブページを端末装置３００に提供した事業者に報酬を支払うことを決定する。
【０１０３】
また、端末装置３００において、サードパーティアプリからオークションサイトのウェブページが呼び出されることで画面が切り替わってもよい。例えば、サードパーティアプリを介して商品等が利用者により選択された場合に、端末装置３００の制御部３０８は、予め設定されたウェブブラウザを起動させ、オークションサイトのＵＲＬ（アドレス情報）に、サードパーティアプリのアプリＩＤと、サードパーティアプリを介して利用者に選択された商品等の商品等識別情報とを付加して、ウェブサーバであるオークションアプリ管理サーバ１００に送信することで、オークションサイトのウェブページを呼び出す。そして、オークションアプリ管理サーバ１００の制御部１０４は、ＵＲＬに付加された商品等識別情報およびアプリＩＤを取得し、この取得した商品等識別情報およびアプリＩＤに基づいて、サードパーティアプリを端末装置３００に提供した事業者に報酬を支払うことを決定する。
【０１０４】
＜ハードウェア構成＞
上述した第１から第３実施形態のオークションアプリ管理サーバ１００、サードパーティアプリ管理サーバ２００および端末装置３００は、例えば、図１６に示すようなハードウェア構成により実現される。図１６は、実施形態のオークションアプリ管理サーバ１００、サードパーティアプリ管理サーバ２００および端末装置３００のハードウェア構成の一例を示す図である。本図は、端末装置３００が携帯電話である例を示している。
【０１０５】
オークションアプリ管理サーバ１００は、ＮＩＣ１００−１、ＣＰＵ１００−２、ＲＡＭ１００−３、ＲＯＭ１００−４、フラッシュメモリやＨＤＤなどの二次記憶装置１００−５、およびドライブ装置１００−６が、内部バスあるいは専用通信線によって相互に接続された構成となっている。ドライブ装置１００−６には、光ディスクなどの可搬型記憶媒体が装着される。二次記憶装置１００−５、またはドライブ装置１００−６に装着された可搬型記憶媒体に格納された情報提供用プログラムがＤＭＡ（Direct Memory Access）コントローラ（不図示）などによってＲＡＭ１００−３に展開され、ＣＰＵ１００−２によって実行されることで、制御部１０４の各機能部が実現される。制御部１０４が参照するプログラムは、ネットワークＮＷを介して他の装置からダウンロードされてもよい。
【０１０６】
サードパーティアプリ管理サーバ２００は、ＮＩＣ２００−１、ＣＰＵ２００−２、ＲＡＭ２００−３、ＲＯＭ２００−４、フラッシュメモリやＨＤＤなどの二次記憶装置２００−５、およびドライブ装置２００−６が、内部バスあるいは専用通信線によって相互に接続された構成となっている。ドライブ装置２００−６には、光ディスクなどの可搬型記憶媒体が装着される。二次記憶装置２００−５、またはドライブ装置２００−６に装着された可搬型記憶媒体に格納された情報提供用プログラムがＤＭＡコントローラ（不図示）などによってＲＡＭ２００−３に展開され、ＣＰＵ２００−２によって実行されることで、制御部２０４の各機能部が実現される。制御部２０４が参照するプログラムは、ネットワークＮＷを介して他の装置からダウンロードされてもよい。
【０１０７】
端末装置３００は、ＣＰＵ３００−１、ＲＡＭ３００−２、ＲＯＭ３００−３、フラッシュメモリなどの二次記憶装置３００−４、タッチパネル３００−５、および無線通信モジュール３００−６が、内部バスあるいは専用通信線によって相互に接続された構成となっている。無線通信モジュール３００−６は、無線基地局にアクセスすることでネットワークＮＷに接続する。無線通信モジュール３００−６は通信部３０２に対応し、タッチパネル３００−５は表示部３０４および操作部３０６に対応する。また、二次記憶装置３００−４に格納されたプログラムがＤＭＡコントローラ（不図示）などによってＲＡＭ３００−２に展開され、ＣＰＵ３００−１によって実行されることで、制御部３０８が実現される。
【０１０８】
以上、本発明を実施するための形態について実施形態を用いて説明したが、本発明はこうした実施形態に何ら限定されるものではなく、本発明の要旨を逸脱しない範囲内において種々の変形及び置換を加えることができる。
【符号の説明】
【０１０９】
１…販売促進システム、１００…オークションアプリ管理サーバ、１０２…通信部、１０４…制御部、１１０…記憶部、１１１…商品等情報、１１２…入札履歴情報、１１３…トラッキングコード、１１４…サードパーティアプリ情報、２００…サードパーティアプリ管理サーバ、２０２…通信部、２０４…制御部、２１０…記憶部、２１１…掲載商品等情報、３００…端末装置、３０２…通信部、３０４…表示部、３０６…操作部、３０８…制御部、３１０…記憶部、３１１…第１記憶領域、３１２…第２記憶領域、ＮＷ…ネットワーク
【図１】
2017142623.tif 000003
【図２】
2017142623.tif 000004
【図３】
2017142623.tif 000005
【図４】
2017142623.tif 000006
【図５】
2017142623.tif 000007
【図６】
2017142623.tif 000008
【図７】
2017142623.tif 000009
【図８】
2017142623.tif 000010
【図９】
2017142623.tif 000011
【図１０】
2017142623.tif 000012
【図１１】
2017142623.tif 000013
【図１２】
2017142623.tif 000014
【図１３】
2017142623.tif 000015
【図１４】
2017142623.tif 000016
【図１５】
2017142623.tif 000017
【図１６】
2017142623.tif 000018
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
個人が出品者となって出品した商品またはサービスを販売する第１サービスにおいて扱われる一以上の商品またはサービスを掲載画面に掲載する、第２サービスを提供するサービス提供者に対応付けられた提供元識別情報と、端末装置において表示された前記掲載画面を介して利用者により選択された前記商品またはサービスを識別する商品等識別情報とを受信する受信部と、
前記第２サービスとして提供される前記掲載画面に、前記サービス提供者と異なる掲載者によって掲載された前記第１サービスの商品またはサービスが前記掲載画面を介して購入された場合に、少なくとも前記受信部により受信された前記提供元識別情報に基づいて、前記サービス提供者に対し、報酬を支払うことを決定する制御部と、
を備える商品等販売サーバ装置。
【請求項２】
前記出品者の識別情報である出品者識別情報を、前記商品等識別情報に対応付けて記憶する記憶部を更に備え、
前記受信部は、前記出品者によって販売される商品またはサービスの中から、前記掲載画面に掲載させる商品またはサービスを選択した掲載者の識別情報である掲載者識別情報を更に受信し、
前記制御部は、前記端末装置において表示された前記掲載画面を介して前記商品またはサービスが購入された場合に、前記記憶部から前記受信部により受信された商品等識別情報に対応する前記出品者識別情報を取得し、前記取得した出品者識別情報と、前記受信部により受信された前記掲載者識別情報とが異なる場合、さらに、前記掲載者識別情報に対応する掲載者に報酬を支払うことを決定する、
請求項１に記載の商品等販売サーバ装置。
【請求項３】
前記制御部は、前記端末装置において前記掲載画面を介して前記商品またはサービスが購入された場合に、前記購入された前記商品またはサービスに対応する前記商品等識別情報とともに、前記購入された前記商品またはサービスに対応する前記提供元識別情報を前記出品者の利用する端末装置に送信する、
請求項１または２に記載の商品等販売サーバ装置。
【請求項４】
前記掲載画面は、第１のサービス提供者が行う第２サービスにより提供される第１の掲載画面と、第２のサービス提供者が行う第２サービスにより提供される第２の掲載画面とがあり、
前記制御部は、前記第１の掲載画面を介して購入された前記商品またはサービスに関する情報と、前記第２の掲載画面を介して購入された前記商品またはサービスに関する情報とを、前記第１または第２のサービス提供者の利用する端末装置に送信する、
請求項１から３のうちいずれか１項に記載の商品等販売サーバ装置。
【請求項５】
前記掲載画面に掲載される商品またはサービスは、前記端末装置において実行され、商品またはサービスの販売を仲介する第１のアプリケーションプログラムを介して販売される商品またはサービスであり、
前記掲載画面は、前記端末装置において第２のアプリケーションプログラムが実行されることで、前記利用者に提供され、
前記受信部は、前記提供元識別情報である前記第２のアプリケーションプログラムを識別するアプリ識別情報、および前記商品等識別情報を含み、前記第２のアプリケーションプログラムから前記第１のアプリケーションプログラムに切り替わる場合に、前記第２のアプリケーションプログラムから前記第１のアプリケーションプログラムに受け渡されるトラッキングコードを前記端末装置から受信し、
前記制御部は、前記端末装置において表示された前記掲載画面を介して前記商品またはサービスが購入された場合に、前記受信部により受信された前記トラッキングコードに基づいて、前記アプリ識別情報から認識される前記サービス提供者に対し、報酬を支払うことを決定する、
請求項１から４のうちいずれか１項に記載の商品等販売サーバ装置。
【請求項６】
前記掲載画面に掲載される商品またはサービスは、前記サービス提供者により提供され、商品またはサービスの販売を仲介するウェブサイトを介して販売される商品またはサービスであり、
前記掲載画面は、前記端末装置においてアプリケーションプログラムが実行されることで、前記利用者に提供され、
前記受信部は、前記アプリケーションプログラムから前記ウェブサイトが呼び出される場合に、前記ウェブサイトのアドレス情報に付加された前記提供元識別情報および前記商品等識別情報を前記端末装置から受信し、
前記制御部は、前記端末装置において表示された前記掲載画面を介して前記商品またはサービスが購入された場合に、前記受信部により受信された前記提供元識別情報および前記商品等識別情報に基づいて、前記ウェブサイトを前記端末装置に提供した前記サービス提供者に対し、報酬を支払うことを決定する、
請求項１から４のうちいずれか１項に記載の商品等販売サーバ装置。
【請求項７】
前記掲載画面に掲載される商品またはサービスは、前記サービス提供者により提供され、商品またはサービスの販売を仲介する第１のウェブサイトを介して販売される商品またはサービスであり、
前記掲載画面は、前記端末装置において前記サービス提供者の提供する第２のウェブサイトを呼び出すことにより、前記利用者に提供され、
前記受信部は、前記第２のウェブサイトから前記第１のウェブサイトが呼び出される場合に、前記第１のウェブサイトのアドレス情報に付加された前記提供元識別情報および前記商品等識別情報を前記端末装置から受信し、
前記制御部は、前記端末装置において表示された前記掲載画面を介して前記商品またはサービスが購入された場合に、前記受信部により受信された前記提供元識別情報および前記商品等識別情報に基づいて、前記第１のウェブサイトを前記端末装置に提供した前記サービス提供者に対し、報酬を支払うことを決定する、
請求項１から４のうちいずれか１項に記載の商品等販売サーバ装置。
【請求項８】
個人が出品者となって出品した商品またはサービスを販売する第１サービスにおいて扱われる一以上の商品またはサービスを掲載画面に掲載する、第２サービスを提供するサービス提供者に対応付けられた提供元識別情報と、前記第１サービスにより販売される商品またはサービスの中から、前記第２サービスの掲載画面に掲載させる商品またはサービスを選択した掲載者であって、前記サービス提供者と異なる掲載者の識別情報である掲載者識別情報とを受信する受信部と、
前記第２サービスとして端末装置に提供される前記掲載画面に、前記サービス提供者と異なる掲載者によって掲載された前記第１サービスの商品またはサービスが購入された場合に、少なくとも前記受信部により受信された前記提供元識別情報および前記掲載者識別情報に基づいて、前記サービス提供者および前記掲載者に対し、報酬を支払うことを決定する制御部と、
を備える商品等販売サーバ装置。
【請求項９】
請求項５に記載の商品等販売サーバ装置と、
前記第２のアプリケーションプログラムが実行される端末装置に対して利用者により所定の操作がなされた場合に、前記端末装置により実行されるアプリケーションプログラムを、前記第２のアプリケーションプログラムから前記第１のアプリケーションプログラムに切り替えさせ、前記トラッキングコードを、前記第２のアプリケーションプログラムから前記第１のアプリケーションプログラムに受け渡させる販売促進サーバ側制御部を有する販売促進サーバ装置と、
を備える販売促進システム。
【請求項１０】
端末装置に、
個人が出品者となって出品した商品またはサービスを販売する第１サービスにおいて扱われる一以上の商品またはサービスを第２サービスとして掲載する掲載画面であって、前記第２サービスのサービス提供者と異なる掲載者によって、前記第１サービスの商品またはサービスが掲載された掲載画面を表示する処理と、
前記掲載画面を介して利用者により前記商品またはサービスのうちのいずれかが選択された場合に、前記掲載画面を介して利用者により選択された前記商品またはサービスを識別する商品等識別情報と、前記掲載画面を提供するサービスを行うサービス提供者に対応付けられた提供元識別情報とを、前記商品またはサービスの販売を管理する装置に送信する情報として、前記商品またはサービスが選択されることにより起動するソフトウェアに対して通知する処理と、
を実行させるアプリケーションプログラム。
【請求項１１】
前記端末装置に、
前記掲載画面に掲載される前記商品またはサービスの出品状態を、前記商品またはサービスの販売を管理する装置に問い合わせる処理と、
前記商品またはサービスの販売を管理する装置からの前記問い合わせに対する応答の結果によって、前記問い合わせた商品またはサービスを利用者に選択させるか否かを判定する処理と、
を実行させる請求項１０に記載のアプリケーションプログラム。
【請求項１２】
前記端末装置に、
前記商品またはサービスの販売を仲介する第１のアプリケーションプログラムを介して販売される商品またはサービスのうち、所定の条件を満たす商品またはサービスを掲載する前記掲載画面を表示する処理と、
前記掲載画面を介して利用者により前記商品またはサービスのうちのいずれかが選択された場合に、前記第１のアプリケーションプログラムを起動して、実行するプログラムを、自身から前記第１のアプリケーションプログラムに切り替えると共に、自身の識別情報である前記提供元識別情報と、前記選択された商品またはサービスを識別する前記商品等識別情報とを含むトラッキングコードを、前記第１のアプリケーションプログラムに受け渡すことで、前記第１のアプリケーションプログラムに対して通知する処理と、
を実行させる請求項１０または１１に記載のアプリケーションプログラム。
【請求項１３】
コンピュータが、
個人が出品者となって出品した商品またはサービスを販売する第１サービスにおいて扱われる一以上の商品またはサービスを掲載画面に掲載する、第２サービスを提供するサービス提供者に対応付けられた提供元識別情報と、端末装置において表示された前記掲載画面を介して利用者により選択された前記商品またはサービスを識別する商品等識別情報とを受信し、
前記第２サービスとして提供される前記掲載画面に、前記サービス提供者と異なる掲載者によって掲載された前記第１サービスの商品またはサービスが前記掲載画面を介して購入された場合に、少なくとも前記受信した前記提供元識別情報に基づいて、前記サービス提供者に対し、報酬を支払うことを決定する、
販売促進方法。
【請求項１４】
第１のコンピュータが、
端末装置に、個人が出品者となって出品した商品またはサービスを販売する第１サービスにおいて扱われる一以上の商品またはサービスを掲載する掲載画面を表示させ、
第２のコンピュータが、
前記掲載画面を表示する前記端末装置に対して利用者により所定の操作がなされた場合に、前記掲載画面を提供する第２サービスを行うサービス提供者に対応付けられた提供元識別情報と、前記端末装置において表示された前記掲載画面を介して利用者により選択された前記商品またはサービスを識別する商品等識別情報とを受信し、
前記第２サービスとして提供される前記掲載画面に、前記サービス提供者と異なる掲載者によって掲載された前記第１サービスの商品またはサービスが前記掲載画面を介して購入された場合に、少なくとも前記受信した前記提供元識別情報に基づいて、前記サービス提供者に対し、報酬を支払うことを決定する、
販売促進方法。
【手続補正２】
【補正対象書類名】明細書
【補正対象項目名】０００８
【補正方法】変更
【補正の内容】
【０００８】
【図１】第１実施形態における販売促進システム１の一例を示す図である。
【図２】第１実施形態におけるオークションアプリ管理サーバ１００の構成の一例を示す図である。
【図３】入札履歴情報１１２の一例を示す図である。
【図４】サードパーティアプリ情報１１４の一例を示す図である。
【図５】第１実施形態におけるサードパーティアプリ管理サーバ２００の構成の一例を示す図である。
【図６】第１実施形態における端末装置３００の構成の一例を示す図である。
【図７】第１実施形態における販売促進システム１において、掲載させる商品等をユーザに選択させる処理の一例を示すシーケンス図である。
【図８】第１実施形態における販売促進システム１において、サードパーティアプリを介してオークションの商品等が購入される場面において行われる処理の一例を示すシーケンス図である。
【図９】第１実施形態におけるトラッキングコード１１３の一例を示す図である。
【図１０】アプリ間におけるトラッキングコード１１３の受け渡しの様子を模式的に示す図である。
【図１１】上述した図７および８に示す処理の流れの一部を模式的に示す図である。
【図１２】第１実施形態における端末装置３００の処理の流れの一例を示すフローチャートである。
【図１３】上述した図１１において、掲載者が出品者と異なる場合の例を模式的に示す図である。
【図１４】第２実施形態におけるトラッキングコードの一例を示す図である。
【図１５】サードパーティアプリごとに記憶された落札商品等の情報を端末装置３００に表示させた画面の一例を示す図である。
【図１６】実施形態のオークションアプリ管理サーバ１００、サードパーティアプリ管理サーバ２００および端末装置３００のハードウェア構成の一例を示す図である。
【手続補正３】
【補正対象書類名】明細書
【補正対象項目名】００３１
【補正方法】変更
【補正の内容】
【００３１】
図４は、サードパーティアプリ情報１１４の一例を示す図である。図示のように、サードパーティアプリ情報１１４は、サードパーティアプリを識別するアプリＩＤ（アプリ識別情報）と、このサードパーティアプリを開発または提供する者（以下、事業者と称するが、個人であってもよい）を識別するデベロッパーＩＤとが対応付けられている情報である。以下、デベロッパーＩＤが示す事業者を、サードパーティアプリ管理サーバ２００を運営する第３の事業者と同一であるものとして説明する。アプリＩＤは、提供元識別情報の一例である。